(57)【要約】【課題】扉体閉止装置との建て付けに際して生ずる建て付け誤差を三次元の各方向で調整することができるようにする。【解決手段】係止ピン支持装置１の調整のうち、上下方向の調整では、ベース部材８にケーシング部材９が組み付けられたアセンブリを、扉体Ａの適宜な位置にベース部材８の長孔１２ａ１，１２ａ２を挿通する固定ネジでもってそれぞれ取り付け、この方向に誤差が生じておれば、その誤差に応じてベース部材８を含むアセンブリを上下方向に移動させて調整する。また、左右方向の調整では、誤差の方向及び量に従って調整ネジ１８を回動し、調整ネジ１８に螺合するベース部材８に対してケーシング部材９を左右方向に移動させる。前後方向の調整では、ピンホルダ部材１０を抜き差しして、ピンホルダ部材１０の凸凹部２１ａの、ケーシング部材９の凹凸部１４ａ１に対する嵌合位置を移動させる。【選択図】図２
2010209536.tif 000002
【特許請求の範囲】
【請求項１】
扉体閉止装置のアームの係合凹部に係合する係止ピンを備えた係止ピン支持装置において、
上下方向に調整可能なベース部材と、このベース部材に左右方向に調整可能に取り付けられるケーシング部材と、このケーシング部材に前後方向に調整可能に取り付けられたピンホルダ部材とからなり、
該ピンホルダ部材には、スプリングにより突出位置に付勢され、前記アームの係合凹部に係合動作する前記係止ピンを備えたことを特徴とする扉体閉止装置用の係止ピン支持装置。
【請求項２】
前記ベース部材には、前記上下方向を長軸とする一対の長孔が設けられてなることを特徴とする請求項１に記載の扉体閉止装置用の係止ピン支持装置。
【請求項３】
前記ケーシング部材には、調整ネジがこのケーシング部材に対して進退することなく回動自在に取り付けられ、この調整ネジの回動により当該調整ネジに螺合する前記ベース部材に対して前記ケーシング部材が前記左右方向に移動してなることを特徴とする請求項１又は２に記載の扉体閉止装置用の係止ピン支持装置。
【請求項４】
前記ピンホルダ部材には、前記ケーシング部材の内側面に対向して刻設され、且つ、前記前後方向に刻設された一対の凹凸部に嵌合する凸凹部が、前記凹凸部の刻設長より短寸で刻設されてなることを特徴とする請求項１〜３のいずれかに記載の扉体閉止装置用の係止ピン支持装置。
【発明の詳細な説明】
【技術分野】
【０００１】
本発明は、家屋等に配設された扉体の開閉に際して、当該扉体を自動的に閉止させるための扉体閉止装置用の係止ピン支持装置に関するものである。
【背景技術】
【０００２】
家屋等の開口口を区画する枠体に対して回転可能に配設された扉体を、当該扉体の閉止直前に減速して静かに閉止させるようにした扉体閉止装置に用いる係止ピン支持装置は従来から存在し、例えば特許文献１に開示されたものがある。
特許文献１に開示された係止ピン支持装置であるブラケット１００は、図８に示すように、当該ブラケット１００を上枠体１１０（図７参照）に取り付けるための取付板１０２ａを有するピン受け１０２と、このピン受け１０２に取り付けられるピン１０３と、このピン１０３に圧入されるカラー１０４と、ピン受け１０２に装着されるカバー１０５とで構成され、このうちのピン受け１０２の取付板１０２ａには、ピン受け１０２を上枠体１１０に取り付けるための固定ネジ（図示せず）が挿通する長孔１０２ａ１が設けられてなるものである。
このようなブラケット１００及びこれと協働する扉体閉止装置１０１は、図７に示すように、当該ブラケット１００が上枠体１１０に取り付けられ、これに対応して扉体閉止装置１０１が扉体Ａに取り付けられ、家屋等の開口口を区画する上枠体１１０及び縦枠体１１１，１１２のうちの縦枠体１１１にヒンジ１１３を介して回転可能に配設された扉体Ａを、当該扉体Ａの閉止直前に減速して静かに閉止させることができるものであり、より具体的にブラケット１００と扉体閉止装置１０１との動作を説明すると、扉体Ａの閉成前では、扉体閉止装置１０１のアーム１０６は、同図に示すようなブラケット１００のピン１０３との係合が可能な所定閉成角に適応した角度位置に保持されている。そして、扉体Ａを閉成して行くと、アーム１０６のガイド溝（このガイド溝とは、図７において描かれている下面のガイド溝に対して上面のガイド溝である。）にブラケット１００のピン１０３が係合する状態となり、係合した後は、ピン１０３がガイド溝に沿う態様で相対移動する。この移動に従って、アーム１０６は、扉体閉止装置１０１内に組み込まれた伝動機構によってモーメントを受けて回転し、これにより扉体Ａは自動的に回転して行き閉止される。かかるアーム１０６の回転に際しては、この回転速度がアーム１０６の回転軸に作用する、扉体閉止装置１０１内に組み込まれた緩衝機構により減速されるので、扉体Ａの閉成に際し当該扉体Ａの回転も減速されて緩やかになる。このため、扉体Ａが戸当り（図示せず）に勢いよく衝突して衝撃音などが発せられる不具合を生ずることもなく静粛に閉止される。
【０００３】
しかしながら、上述したブラケット１００は、扉体閉止装置１０１との建て付けに際して生ずる当該ブラケット１００と扉体閉止装置１０１との間の僅かな建て付け誤差、即ち、上述したブラケット１００のピン１０３とアーム１０６のガイド溝との間の係合ズレを三次元の各方向で調整することができず、単にピン受け１０２を上枠体１１０に固定ネジで取り付けるときに、この固定ネジが挿通する当該ピン受け１０２の長孔１０２ａ１を用いてピン受け１０２、即ち、ブラケット１００を前後方向に調整できるに過ぎない。したがって、このようなブラケット１００を以ってしては、例えば扉体のメーカーによって当該扉体の幅や厚み、或いは上枠体に取り付けられる戸当りの、上下方向（例えば図１中に示すＡ１−Ａ２方向）や左右方向（例えば図１中に示すＢ１−Ｂ２方向）の寸法などが僅かに異なる場合、或いはまた、経年変化が生じて再度建て付けし直さなければならない場合などにフレキシブルに対処できない不具合がある。
【特許文献１】特開２００７−１２０１４０（第４〜８頁、図１，３）
【発明の開示】
【発明が解決しようとする課題】
【０００４】
解決しようとする問題点は、扉体閉止装置に用いる係止ピン支持装置について、この扉体閉止装置との建て付けに際して生ずる当該扉体閉止装置と係止ピン支持装置との間の僅かな建て付け誤差を三次元の各方向で調整可能にしてフレキシブル性のある使い勝手のよいものとする点である。
【課題を解決するための手段】
【０００５】
本発明の請求項１に係る扉体閉止装置用の係止ピン支持装置は、扉体閉止装置のアームの係合凹部に係合する係止ピンを備えた係止ピン支持装置において、上下方向に調整可能なベース部材と、このベース部材に左右方向に調整可能に取り付けられるケーシング部材と、このケーシング部材に前後方向に調整可能に取り付けられたピンホルダ部材とからなり、該ピンホルダ部材には、スプリングにより突出位置に付勢され、前記アームの係合凹部に係合動作する前記係止ピンを備えるものである。通常、扉体閉止装置との建て付けに際しては本係止ピン支持装置と当該扉体閉止装置との間に僅かな建て付け誤差が生じてしまうことがあるので、本係止ピン支持装置によれば、かかる誤差を三次元の各方向で調整可能にしてフレキシブル性があって使い勝手がよいものとすることができる。
ところで、上述した上下方向とは、扉体の高さ方向（例えば、図１中に示すＡ１−Ａ２方向）を言い、また、左右方向とは、扉体の幅方向（例えば、図１中に示すＢ１−Ｂ２方向）を言い、また、前後方向とは、扉体の面に垂直な方向（例えば、図１中に示すＣ１−Ｃ２方向）を言う。
【０００６】
本発明の請求項２に係る扉体閉止装置用の係止ピン支持装置においては、前記ベース部材には、前記上下方向を長軸とする一対の長孔が設けられてなるもので、長孔に沿ってベース部材、即ち、被ガイド部材を相対移動させることにより、三次元方向のうちの上下方向の調整を容易にできるので、本係止ピン支持装置によれば、フレキシブル性のある使い勝手のよいものとすることができる。
【０００７】
本発明の請求項３に係る扉体閉止装置用の係止ピン支持装置においては、前記ケーシング部材には、調整ネジがこのケーシング部材に対して進退することなく回動自在に取り付けられ、この調整ネジの回動により当該調整ネジに螺合する前記ベース部材に対して前記ケーシング部材が前記左右方向に移動してなるもので、調整ネジを回動してベース部材に対しケーシング部材を左右方向に移動させることにより、即ち、係止ピン支持装置を相対的に左右方向に移動させることにより、三次元方向のうちの左右方向の調整を容易にできるので、本係止ピン支持装置によれば、フレキシブル性のある使い勝手のよいものとすることができる。
【０００８】
本発明の請求項４に係る扉体閉止装置用の係止ピン支持装置においては、前記ピンホルダ部材には、前記ケーシング部材の内側面に対向して刻設され、且つ、前記前後方向に刻設された一対の凹凸部に嵌合する凸凹部が、前記凹凸部の刻設長より短寸で刻設されてなるもので、これら凹凸部と凸凹部との嵌合位置を、手動で当該ピンホルダ部材を抜き差しして移動させることにより、三次元方向のうちの前後方向の調整を容易にできるので、本係止ピン支持装置によれば、フレキシブル性のある使い勝手のよいものとすることができる。
【発明の効果】
【０００９】
本発明の扉体閉止装置の係止ピン支持装置は、扉体閉止装置に用いる係止ピン支持装置について、この係止ピン支持装置と扉体閉止装置との間に生ずる僅かな建て付け誤差を三次元の各方向で調整可能にしてフレキシブル性のある使い勝手のよいものとした点で優れている。
【発明を実施するための最良の形態】
【００１０】
本発明の実施の形態に係る扉体閉止装置用の係止ピン支持装置を図１〜６を参照して説明する。
まず、本係止ピン支持装置の構造を説明する前に、本実施の形態での、本係止ピン支持装置及び本係止ピン支持装置と協働する扉体閉止装置の概略構成を述べると、図１に示すように、本係止ピン支持装置１は、扉体Ａの裏面で、蝶番（図示せず）が取着された側端とは反対側に位置するところの取手（図示せず）が取着された側端の上方部に取り付けられる一方、扉体閉止装置２は、上枠体３の端部で、且つ、当該上枠体３に配設される戸当り６及び縦枠体４に当接する態様で本係止ピン支持装置１に対応して取り付けられ、両者が協働することによって、家屋等の開口口を区画する上枠体３及び縦枠体４，５のうちの縦枠体５に蝶番を介して回転可能に配設された扉体Ａを、当該扉体Ａの閉止直前から減速して静かに閉止させることができるようにしたものである。
【００１１】
次に、本係止ピン支持装置１の構造を図２及び図４，５を参照して説明する。
本係止ピン支持装置１は、合成樹脂で成形された複数の部材から構成されており、本係止ピン支持装置１の取り付けに際して上下方向（図１中に示すＡ１−Ａ２方向）に調整可能なベース部材８と、このベース部材８に左右方向（図１中に示すＢ１−Ｂ２方向）に調整可能なように取り付けられるケーシング部材９と、扉体閉止装置２のアーム２５との係合に際して動作する係止ピン２２が取り付けられるとともに、上記ケーシング部材９に前後方向（図１中に示すＣ１−Ｃ２方向）に調整可能なように取り付けられるピンホルダ部材１０とを備え、更に、本実施の形態では、これらベース部材８、ケーシング部材９及びピンホルダ部材１０を覆うカバー１１を備えている。
【００１２】
このうちベース部材８は、比較的に左右方向に長尺で薄平たい略矩形状部材１２と、この略矩形部材１２の前面１２ａ側の中央に垂直に突設された、比較的に短尺で薄平たい略矩形状の調整基板１３とで構成され、略矩形状部材１２の両端寄りのところには、当該ベース部材８、換言すれば、本係止ピン支持装置１を扉体Ａに取り付けるための固定ネジ（図示せず）が挿通する段差付きの、上下方向を長軸とする一対の長孔１２ａ１，１２ａ２がそれぞれ設けられ、また、調整基板１３の先端部中央には後述の調整ネジ１８が螺合するネジ孔１３ａが設けられている。尚、前面１２ａの、上述した長孔１２ａ１，１２ａ２の中央に設けられた▽印のマークは上下方向の調整に資するためのものである。
ところで、略矩形部材１２の下面１２ｃの中央部には、左右方向の調整に資するために目盛１２ｃ１が適宜な間隔で刻まれており、また、略矩形部材１２の後面１２ｂの、長孔１２ａ１，１２ａ２近傍のところに三角錐状の突起１２ｂ１，１２ｂ２がそれぞれ設けられている。これら突起１２ｂ１，１２ｂ２は、当該ベース部材８、換言すれば、本係止ピン支持装置１を取り付けるときに、扉体Ａに食い込んで本係止ピン支持装置１の取付けを強固にするためのものである（図４，５参照）。
【００１３】
ケーシング部材９は、比較的に前後方向に長尺で薄平たい略矩形状の調整母体１４と、この調整母体１４の後端に連設される態様で当該調整母体１４より前後方向に短尺であるが、前後方向に垂直な方向にはいくらか幅広で中空をなす略矩形状部材１５とで構成され、この略矩形状部材１５の後端面（調整母体１４に連設する前端とは反対側の面）に設けられた開口口が当該略矩形状部材１５の上記中空部１５ｃに通じている（図４，５参照）。尚、この中空部１５ｃの奥行きは、ケーシング部材９をベース部材８に組み付けたときに、当該中空部１５ｃの奥内壁がベース部材８の調整基板１３の前端面に当接する程度のものである。そして、調整母体１４の前端部から略中央部に至るところには、前後方向を長軸とする半長孔形状溝１４ａが設けられ、この溝１４ａの対向する内側面には、前後方向に、本実施の形態では、前端部寄りのところから当該溝１４ａの終端部に渡って一対の凹凸部１４ａ１が刻設されている。また、調整母体１４の略中央部から略矩形状部材１５の終端部に至るところに形成される上面１６の中央には、適宜な幅及び深さの溝が設けられた細長な矩形状の突起台１７が突設されている。尚、かかる溝は、部品軽量化を図る等のために設けられているものである。
また、略矩形状部材１５の両側面１５ａの前端寄り略中央付近のところには、後述する調整ネジ１８のための挿通孔１５ａ１がそれぞれ設けられている。
尚、略矩形状部材１５の下面１５ｂには、ベース部材８の略矩形部材１２の下面１２ｃに刻設された目盛１２ｃ１に対応して直線溝１５ｂ１が刻まれている（図４，５参照）。
【００１４】
ところで、上述の調整ネジ１８は、径大の頭部１８ａと、この頭部１８ａに連なる、当該頭部１８ａより径小で細長なネジ部１８ｂと、このネジ部１８ｂに連なる、当該ネジ部１８ｂより径小で細短な突条部１８ｃとで構成され、頭部１８ａには調整ネジ１８を回動するための、例えばドライバが差し込まれる十字溝が設けられている。かかる調整ネジ１８は、後述するように、そのネジ部１８ｂがケーシング部材９の略矩形状部材１５の、一方の挿通孔１５ａ１を挿通してベース部材８の調整基板１３に設けられたネジ孔１３ａに螺合されるとともに、他方の挿通孔１５ａ１から突出した当該調整ネジ１８の突条部１８ｃに薄板状のリング１９が嵌め込まれ、当該突条部１８ｃがカシメられる。これにより、調整ネジ１８は、ケーシング部材９に対して進退することなく回動自在に取り付けられることになる。
【００１５】
ピンホルダ部材１０は、比較的に長尺なリング状部材２０の外周に一対の小片な平板状フランジ２１が設けられ、このフランジ２１には、ケーシング部材９の調整母体１４の凹凸部１４ａ１に嵌合する凸凹部２１ａが設けられており、かかる凸凹部２１ａの嵌合長（刻設長）は、凹凸部１４ａ１の嵌合長（溝１４ａの前端部寄りのところから当該溝１４ａの終端部に至るところ）より短寸になっている。したがって、これら凹凸部１４ａ１と凸凹部２１ａとの嵌合位置を、ピンホルダ部材１０を抜き差しして移動させることにより変えることができる。
また、リング状部材２０には、上述した係止ピン２２が当該リング状部材２０内に内臓されているスプリング（図示せず）により当該リング状部材２０から突出する方向に付勢される態様で取り付けられている。
【００１６】
カバー１１は、薄平たい矩形状部材２３の表面中央に先細をなす矩形状部材２４が立設された外観形態を呈するシェル部材で構成され、このカバー１１の上面（当該カバー１１を組み付けたときに、ケーシング部材９の上面１６側に配置される面）２４ａには、細長に切り欠かれた切欠き溝２４ａ１が、当該カバー１１の先端部近傍から後端部に至るところで、しかも、当該後端部の縁端で開口するように設けられている。そして、この切欠き溝２４ａ１の、上記開口端を含む後端部には、当該切欠き溝２４ａ１の幅を狭めるように一対の係止部２４ａ１１が張出しており、これら係止部２４ａ１１によって当該切欠き溝２４ａ１に形成される隅角部２４ａ１２が、当該カバー１１を組み付けたときに、ケーシング部材９の突起台１７の後端角部に係合し、その係合状態を保持可能としている。
【００１７】
次に、本係止ピン支持装置１の組み立て方を図２，３を参照して説明する。
本係止ピン支持装置１の組み立てに際しては、本係止ピン支持装置１と扉体閉止装置２との建て付けに際して生ずる両者間の建て付け誤差を気にすることなく組み立てればよい。即ち、まず、図３（Ａ）のように、ケーシング部材９をベース部材８に組み付ける。この組付けに際しては、ベース部材８の調整基板１３を、その前端面がケーシング部材９の中空部１５ｃの略中央位置（ベース部材８の目盛１２ｃ１の略中央にケーシング部材９の直線溝１５ｂ１を合わせることにより容易にできる（図４））で、当該中空部１５ｃの奥内壁に当接するところまで挿入する（或いは、ベース部材８の調整基板１３を、当該ベース部材８の略矩形部材１２の前面１２ａがケーシング部材９の略矩形状部材１５の後端面に当接するところまで挿入する）。しかる後、調整ネジ１８を、ケーシング部材９の、一方の挿通孔１５ａ１を挿通して当該ベース部材８のネジ孔１３ａに螺合させ、他方の挿通孔１５ａ１から突出した当該調整ネジ１８の突条部１８ｃに薄板状のリング１９を嵌めてからこの突条部１８ｃをカシメる。
【００１８】
次に、図３（Ｂ）のように、ピンホルダ部材１０を抜き差しして、当該ピンホルダ部材１０の凸凹部２１ａをケーシング部材９の凹凸部１４ａ１の、例えば図６（Ｂ）に示す略中央のところに嵌合させておく。そして、図３（Ｃ）のようにカバー１１を組み付けるのであるが、作業手順としては、カバー１１を組み付けないで被ガイド部材７を扉体Ａの適宜な位置に取り付け、後述する建て付け誤差の調整を完了し終えた後に、カバー１１を組み付ける。
ここで、カバー１１の組み付け方を説明しておくと、カバー１１を、当該カバー１１の上面２４ａ側がケーシング部材９の上面１６側に配置されるようにして上述したベース部材８にケーシング部材９が組み付けられたアセンブリを被覆する態様で組み付ける。このとき、カバー１１の上面２４ａの切欠き溝２４ａ１に対し、当該切欠き溝２４ａ１をいくらか拡開させながら（カバー１１の構造がシェル構造であるので、拡開させることは容易である）、且つ、突出する係止ピン２２に注意しつつカバー１１の隅角部２４ａ１２をケーシング部材９の突起台１７の後端角部に係合させて組み付けると、図３（Ｃ）のようになる。
【００１９】
次に、本係止ピン支持装置１の調整のしかたについて図１及び図４〜６を参照して説明する。
本係止ピン支持装置１の調整のうち、まず、上下方向の調整について図１を参照して説明する。上述したように、カバー１１を組み付けないで、ベース部材８にケーシング部材９が組み付けられたアセンブリを、扉体Ａの適宜と判断される位置、即ち、このアセンブリの係止ピン２２が既に上枠体２に取り付けられている扉体閉止装置２のアーム２５（このアーム２５は、図１に示すように、係止ピン２２との係合が可能な所定閉成角、例えば略４０゜に適応した角度位置に保持されている。）のガイド溝（係合凹部）２５ａに係合する位置（かかる位置は、実際、アーム２５のガイド溝２５ａに係止ピン２２を係合させて見て決めることが好ましい。）に、このアセンブリのベース部材８の長孔１２ａ１，１２ａ２を挿通する固定ネジでもってそれぞれ取り付ける。このとき、固定ネジがこれら長孔１２ａ１，１２ａ２の中央に設けられた▽印マークのところで取り付けられるようにすることが好ましい。そして、再度、アーム２５のガイド溝２５ａに係止ピン２２を係合させて見て、未だ上下方向に建て付け誤差が生じているような場合には、固定ネジを弛めて、その誤差に応じてベース部材８を含むアセンブリを上下方向に移動させ（本実施の形態では、その移動量はおよそ上下方向にそれぞれ５ｍｍほどである）、再度固定ネジでもって取り付け、係合が良好であればこの方向の調整が完了する。
【００２０】
次に、左右方向の調整について図４，５を参照して説明する。但し、例えば図４において、図４（ａ）は上記アセンブリを図３（Ａ）のＰ方向からの視図、図４（ｂ）は図４（Ａ）の平面図、及び、図４（ｃ）は図４（Ｂ）のＱ−Ｑ断面図であり、図５（Ａ），（Ｂ）も図４に準ずる。
引き続いて、上記係合に際して左右方向に建て付け誤差が生じているような場合で、ケーシング部材９がベース部材８に図４の状態で組み付けられているときには、誤差の方向及び量に従って調整ネジ１８を回動すると、図５（Ａ）や図５（Ｂ）のように調整ネジ１８に螺合するベース部材８に対してケーシング部材９が左右方向に移動する（本実施の形態では、図４の状態から図５（Ａ）や図５（Ｂ）の状態への移動量はそれぞれおよそ７ｍｍほどである）。そして、適宜な移動により左右方向での係合が良好になればこの方向の調整が完了する。
【００２１】
次に、前後方向の調整について図６を参照して説明する。
引き続いて、上記係合に際して前後方向に建て付け誤差が生じているような場合で、ピンホルダ部材１０の凸凹部２１ａがケーシング部材９の凹凸部１４ａ１の、図６（Ｂ）に示す略中央のところで嵌合しているときには、ピンホルダ部材１０を抜き差しして、図６（Ａ）や図６（Ｃ）のように上記嵌合位置を前後方向に移動させる（本実施の形態では、図６（Ｂ）の状態から図６（Ａ）や図６（Ｃ）の状態への移動量はそれぞれおよそ２．５ｍｍほどである）。そして、適宜な移動により前後方向での係合が良好になればこの方向の調整が完了する。
尚、これら上下方向、左右方向及び前後方向の調整順序は、特に特定されるものではなく、事情に応じ順序を変えて行えばよい。
【００２２】
最後に、本係止ピン支持装置１と扉体閉止装置２による基本的な協働動作を簡単に説明しておくと、アーム２５のガイド溝２５ａに係止ピン２２が係合する前においては、図１に示すように、アーム２５は、扉体閉止装置２内の伝動機構により係止ピン２２との係合が可能な上述の角度位置に保持されているが、扉体Ａを閉成して行くと、アーム２５のガイド溝２５ａに係止ピン２２が係合する。係合した後は、扉体Ａの閉成に従って係止ピン２２がガイド溝２５ａに沿う態様で相対移動し始めると、アーム２５は扉体閉止装置２内の伝動機構によりモーメントを与えられて回転し始めるとともに扉体Ａが自動的に回転して閉止される。この協働動作において、アーム２５の回転に際しては、この回転速度が扉体閉止装置２内の緩衝機構により減速されるので、扉体Ａの閉成に際し当該扉体Ａの回転も減速されて緩やかになる。このため、扉体Ａが戸当り５に勢いよく衝突して衝撃音などが発せられる不具合を生ずることもなく静粛に閉止される。
【産業上の利用可能性】
【００２３】
本発明の係止ピン支持装置は、扉体閉止装置との間に生ずる僅かな建て付け誤差を三次元の各方向で調整可能な構造とし、フレキシブル性のある使い勝手のよいものとした点で、この種の装置として広く一般的に利用されるものと言える。
【図面の簡単な説明】
【００２４】
【図１】本発明の実施の形態に係る係止ピン支持装置及びこれと協働する扉体閉止装置の取付状態を示す図である。
【図２】図１の係止ピン支持装置の分解斜視図である。
【図３】図１の係止ピン支持装置の組立て要領図である。
【図４】図１の係止ピン支持装置の左右方向の調整説明図である。
【図５】図１の係止ピン支持装置の左右方向の調整説明図である。
【図６】図１の係止ピン支持装置の前後方向の調整説明図である。
【図７】従来の係止ピン支持装置及びこれと協働する扉体閉止装置の取付状態を示す図である。
【図８】図７の係止ピン支持装置の分解斜視図である。
【符号の説明】
【００２５】
１                    係止ピン支持装置
２                    扉体閉止装置
８                    ベース部材
９                    ケーシング部材
１０                  ピンホルダ部材
１２ａ１，１２ａ２      長孔
１４ａ１              凹凸部
１８                  調整ネジ
２１ａ                凸凹部
２２                  係止ピン
２５                  アーム
２５ａ                ガイド溝（係合凹部）
Ａ                    扉体
【図１】
2010209536.tif 000003
【図２】
2010209536.tif 000004
【図３】
2010209536.tif 000005
【図４】
2010209536.tif 000006
【図５】
2010209536.tif 000007
【図６】
2010209536.tif 000008
【図７】
2010209536.tif 000009
【図８】
2010209536.tif 000010